(57)【要約】　【課題】本発明は、三次元効果を生成するための方法、前記方法によって生じる三次元効果画像、装飾およびセキュリティー用途のためのそれらの使用、係る三次元画像を含むセキュリティーマーキングおよび有価証券の提供。【解決手段】キラル液晶材料の少なくとも１つの第一および少なくとも１つの第二画像層を設けることによる三次元効果の生成方法であって、ここで、前記第一および第二画像層の一方は、右回り円偏向を反射し、並びに他方は、左回り円偏向を反射し、前記第一および第二画像層は、重合または架橋したコレステリック液晶材料を含み、および、これらは、基板上に重合性キラル液晶材料を与え、前記材料をプラナー配向に配列させ、そして、その液晶状態において、前記材料を、６０℃より低い温度で重合することによって得られること、および／または前記第一および第二画像層は、直接に、互いの上には重ならず、および／またはステレオペア画像を形成しないこと、を特徴とする前記方法。【選択図】　図３
2004046220.tif 000002
【特許請求の範囲】
【請求項１】
キラル液晶材料の少なくとも１つの第一および少なくとも１つの第二画像層を設けることによる三次元効果の生成方法であって、ここで、前記第一および第二画像層の一方は、右回り円偏向を反射し、並びに他方は、左回り円偏向を反射し、
前記第一および第二画像層は、重合または架橋したコレステリック液晶材料を含み、および、これらは、基板上に重合性キラル液晶材料を与え、前記材料をプラナー配向に配列させ、そして、その液晶状態において、前記材料を、６０℃より低い温度で重合することによって得られること、
および／または
前記第一および第二画像層は、直接に、互いの上には重ならず、および／またはステレオペア画像を形成しないこと、
を特徴とする前記方法。
【請求項２】
第一および第二画像層が、重合または架橋したコレステリック液晶材料を含み、および、これらは、基板上に、重合性キラル液晶材料を与え、前記材料をプラナー配向に配列させ、そして、その液晶状態において、前記材料を６０℃より低い温度で重合することによって得られる、請求項１に記載の方法。
【請求項３】
重合性キラル液晶材料が、少なくとも１種のアキラル重合性メソゲン化合物および、キラル化合物であって、さらに、重合性および／またはメソゲン性であり得る少なくとも１種の前記化合物を含む、請求項２に記載の方法。
【請求項４】
第一および第二画像層が、重合性キラル液晶材料を基板の同側または反対側に塗布またはプリントし、該材料を配列させ、該材料を重合し、および任意に、重合した層から基板を取り除くことによって得られる、請求項２または３に記載の方法。
【請求項５】
第一および第二画像層が、カプセル化コレステリック液晶材料を含む、請求項１に記載の方法。
【請求項６】
第一および第二画像層が、重合したコレステリック液晶材料を含む、請求項１に記載の方法。
【請求項７】
第一および第二画像層が、異なる波長の円偏光を反射する、請求項１〜６に記載の方法。
【請求項８】
第一画像層が、基板に設けられ、および任意に、中間層により覆われ、および前記第二画像層が前記第一画像層の上に設けられる、請求項１〜７のいずれかに記載の方法。
【請求項９】
基板が、光吸収材料を含む、請求項８に記載の方法。
【請求項１０】
請求項１〜９のいずれかに記載の少なくとも１つの第一および少なくとも１つの第二画像を含む、三次元効果を生成するための装置。
【請求項１１】
三次元効果を検出するための手段をさらに含み、該手段は一対のフィルム、ホイル、レンズまたはガラスを含み、一方は、前記第一および第二画像層によって反射した右回り円偏光を伝達し、および他方は、前記第一および第二画像層によって反射した左回り偏光を伝達する、請求項１０に記載の装置。
【請求項１２】
請求項１〜１１のいずれかに記載の方法または装置によって生じる三次元画像。
【請求項１３】
装飾またはセキュリティー用途のための、請求項１〜１２のいずれかに記載の方法、装置または画像の使用。
【請求項１４】
請求項１０〜１２のいずれかに記載の装置または画像を含む、セキュリティーマーキングまたは照合マーキング。
【請求項１５】
キラル液晶材料の鏡像異性形態の両方を含有するプリントエリアを含むセキュリティーデバイスであって、一方は、左回りおよび他方は右回りの２つの円偏光子によって作製されるデバイスを介して観察することによって、長距離から確認することができる、前記セキュリティーデバイス。
【請求項１６】
請求項１４または１５に記載のセキュリティーマーキング若しくは照合マーキングまたはデバイスを含む有価証券。
【発明の詳細な説明】
【技術分野】
【０００１】
　本発明は、三次元効果を生成するための方法、前記方法により生じる三次元画像、装飾およびセキュリティー用途のためのそれらの使用並びに係る三次元画像を含むセキュリティーマーキングおよび有価証券に関する。
【背景技術】
【０００２】
　左眼および右眼において観察される２つの異なる遠近画像の投影に基づく三次元効果の生成は、従来技術で公知である。一般的に、同対象の２つの画像（ｉｍａｇｅ）は、画像の視覚的な遠近のわずかな差違によって調製される。次いで、これらの画像は、観察者のそれぞれの眼が、画像の１つずつのみを視認するように観察される。次いで、この視覚的な方法においては、２つの別々の画像が単一の三次元画像として知覚される。これは、様々な手段によって達成できる。
　立体の観察者は、２つの異なった光路を介して観察される、２つの異なった画像の使用を必要とする。
【０００３】
　複合された画像は、２つの異なる有色インク、例えば赤色および青色を用いて、２つの別々の画像を重ね合わせることによって調製できる。好適な赤色および青色フィルターを含有するデバイスを介して観察する場合、それぞれの眼は、構成画像の１つのみを観察し、そして、三次元画像を再構成する。
【０００４】
　２つの画像は、偏光（直線または円）を用いて、スクリーンに投影し得る。再度、好適な観察デバイスは、観察者が三次元画像を再構成することを可能にする。多くのデバイスは、ＬＣＤシャッターデバイスとして記載されている。これらは、それぞれの眼にフィルターを供与するために、液晶材料を使用している。該デバイスは、連続してシャッターを作動させるように、電気的に制御される。これにより、観察者は、先ず左眼によって１つの画像を、次いで右眼によってもう1つの画像を観察することができる。
【０００５】
　これらの効果を生成するためのコレステリック液晶（ＣＬＣ）に基づく顔料の使用という発想は、特許文献１に記載されている。記載されている顔料は、波長の広範囲でそれらに反射させる、ら線ピッチの変化を有する。これらは、重合したＣＬＣ材料の二重層を含み、各層は、その層厚方向全体に渡って、非直線ピッチ配置を示し、その結果、非対称性の反射特性による広波長域の反射を示す。
【０００６】
ピッチ勾配は、重合性ＣＬＣ材料および非重合性ネマティックＬＣ材料を共に混合し、該混合物を基板に塗布し、プラナー配向を達成するために焼きなまし、例えば、ＵＶ照射によって硬化することによって達成される。硬化すると直ちに、非重合性ネマティックＬＣ材料および重合したＣＬＣ材料の相分離が起こる。これは、材料内の高ピッチを有する領域および低ピッチを有する領域を含むピッチの分布をもたらす。次いで、前記二重層は、非直線ピッチ配置および非対称性の反射特性を有する２つの類似の単一ＣＬＣ層を、結果的に、該二重層が、対称性の反射特性を有するように、共に積層することによって調製する。
【０００７】
該顔料は、それらが、それぞれ、右回りまたは左回り円偏光を反射することを意味する、右回りまたは左回り形態の両方に調製される。また、複合画像を、同様の広帯域性コレステリック液晶材料から製造されるフィルターデバイス（filtering device）を介して観察するようなシステムについても記載されている。
【０００８】
　特許文献２には、偏光コード媒体（polarisation encoded medium）の配列形態において、２つの画像を組み込むことによって、コレステリック液晶材料を利用する画像の作製が記載されている。
　特許文献３には、異なる偏光の２つの画像を、ＣＬＣｓを用いて作製することによる、動画を達成するための技術が開示されている。
【０００９】
　特許文献４には、固体ＣＬＣ小板または薄片を含む左回りおよび右回りＣＬＣインクの２つの画像を含む、三次元画像が記載されている。
　特許文献５は、例えば、カプセル化ＣＬＣ材料を含み得る右回りおよび左回りＬＣインクに関するものである。さらに、架橋性ＣＬＣシリコンを含むインクについても記載されており、これは、６０〜９０℃の高温度で配列され、熱的な硬化または光硬化によって固体フィルムとなる。
【００１０】
　しかしながら、従来技術に記載の方法は、いくつかの欠点を有する。特許文献１および特許文献４に記載されているＣＬＣ顔料および薄片は、複雑な製造方法を必要とする。特許文献２および特許文献３に記載されている方法および装置は、複雑な光学成分の配置および多重化またはパターン化技術を必要とする。特許文献５に記載の方法は、ステレオペア画像を形成するために、ＣＬＣインクが混合または重ね合わせられることを必要とし、および硬化可能な材料が含まれる場合は、高い処理温度を必要とする。
【００１１】
【特許文献１】国際公報第９９／０２３４０号パンフレット
【特許文献２】国際公報第９６／１０２０８号パンフレット
【特許文献３】米国特許第５,６９２,２２６号公報
【特許文献４】米国特許第５,４５７,５５４号公報
【特許文献５】米国特許第５,３９８,１３１号公報
【発明の開示】
【発明が解決しようとする課題】
【００１２】
　本発明の目的は、従来技術の欠点を有さない三次元効果および画像を生成するための新規な方法を提供することであった。別の目的としては、光学成分の複雑な配置を必要とせず、および調製において、多くの製造工程および好ましくない反応条件を必要とする材料を必要としない方法を提供することであった。本発明の更なる目的は、当業者に対し、以下の記載によって直ちに明らかになる。
【課題を解決するための手段】
【００１３】
　本発明者は、薄片状ＬＣ顔料材料を用いずに、三次元効果が得られることを見出した。反応性ＣＬＣ材料の２段階プリント（ｐｒｉｎｔｉｎｇ）または塗布およびＵＶ硬化は、三次元イメージングで必要とされる２つの異なった遠近画像を形成するために、６０℃以下の低温度またはさらに、以下に記載されるように室温（ＲＴ）でも実施することができる。これは、可変ピッチＬＣ薄片の形成を必要とせず、標準の円偏光子デバイスを用いて観察することができる（但し、それぞれの眼は、円偏光子の１つのみを介して画像を観察する）。
【００１４】
　さらに、本発明者らは、画像に遠近感を設けるために、ＣＬＣ薄片の複雑な画像が必要とされないことを見出した。２つの円偏光子を含む観察デバイスを介して観察する場合、プリント／塗布されたデザインにおいて、ＣＬＣ材料の鏡像異性形態の両方を利用することによって、２つの鏡像異性形態が異なった領域にプリントされるか、または異なる画像を形成しても、遠近感が得られる（但し、それぞれの偏光子の利き手は異なり、それぞれの眼は、偏光子の1つのみを介して画像を観察する場合）。この観察デバイスに必要な円偏光子は、類似の液晶材料からの製造を必要とせず、標準の円偏光子が用いられ得る。
【００１５】
　この効果は、数メートルの距離から確認することができ、およびＣＬＣ材料の他の特性、例えば、角彩色依存性およびサーモクロミズムと複合する場合、さらなるセキュリティ機能を設ける。セキュリティ機能としてのこの種類のデバイスの利点は、機能が、接着テープなどの材料または透明なポリマーフィルムで覆われる場合には、それが、光の偏光状態を妨げる為、効果がなくなることである。
　これらの方法の両方ともに、以下で詳細に記載される。
【００１６】
発明の概要
　本発明は、キラル液晶材料の少なくとも１つの第一および少なくとも１つの第二画像層を提供することによる三次元効果の生成方法であって、ここで、前記第一および第二画像層の一方は、右回り円偏光を反射し、他方は、左回り円偏光を反射し、
・前記第一および第二画像層は、重合したまたは架橋したコレステリック液晶（ＣＬＣ）材料を含み、および、これは、重合性ＣＬＣ材料を、基板に与え、該材料をプラナー配向に配列させ、そして、その液晶状態において、該材料を、６０℃より低い温度下で重合化することによって得られること、
および／または
・該第一および第二画像層は、直接には、互いの上に重ならずおよび／またはステレオペア画像を形成しないこと、
を特徴とする、前記方法に関する。
【００１７】
　本発明は、さらに、本明細書に記載の少なくとも１つの第一および少なくとも１つの第二画像層を含む三次元効果を生成するための装置にも関する。
　本発明は、さらに、本明細書に記載の方法または装置によって生じる三次元画像に関する。
　本発明は、さらに、本明細書に記載の方法、装置または画像の、装飾的およびセキュリティー用途のための使用に関する。
　本発明は、さらに、本明細書に記載のセキュリティー若しくは照合マーキング装置または画像を含むデバイスにも関する。
【００１８】
　本発明は、さらに、キラル液晶材料の鏡像異性形態の両方を含有するプリントエリアを含むセキュリティーデバイスに関し、これは、一方は左回り、他方は右回りの２つの円偏光子からなるデバイスを介して観察することによって、長距離から確認することができる。
　本発明は、さらに、本明細書に記載のセキュリティー若しくは照合マーキングまたはデバイスを含む有価証券に関する。
【発明を実施するための最良の形態】
【００１９】
本発明の詳細な説明
　本発明の第一の好ましい態様は、キラル液晶材料の少なくとも１つの第一および少なくとも１つの第二画像層を提供することによって、三次元効果を生成するための方法であって、ここで、前記第一および第二画像層の一方は、右回り円偏光を反射し、他方は、左回り円偏光を反射し、
前記第一および第二画像層は、重合したまたは架橋したコレステリック液晶（ＣＬＣ）材料を含み、および、これは、重合性ＣＬＣ材料を基板に与え、該材料をプラナー配向に配列させ、そして、その液晶状態において、該材料を、６０℃より低い温度下で重合することによって得られる、
ことを特徴とする、前記方法に関する。
【００２０】
　この方法を利用することによって、薄片状ＬＣ顔料材料または複雑な製造若しくは組み立て技術を使用せずに、三次元効果を容易に得ることができる。該画像は、三次元イメージングに必要とされる２つの異なる遠近画像を形成するために、反応性キラルＬＣ材料の２段階プリントまたは塗布およびＵＶ硬化によって設けることができる。該画像は、標準の円偏光子デバイスによって観察することができる（但し、それぞれの眼は、円偏光子の一方のみを介して該画像を観察する場合）。
【００２１】
　特に、好適な材料は、１種若しくは２種以上のアキラル重合性メソゲン化合物あるいは１種若しくは２種以上の重合性または非反応性キラルメソゲンドーパントを含む重合性ＣＬＣ混合物である。好適および好ましい重合性ＣＬＣ混合物は、例えば、欧州特許第1 134 596 A号、英国特許第2 357 291 A号、英国特許第2 315 760 A号公報、米国特許第6,117,920号公報および欧州特許第0 880 570 A号公報に開示され、全体の開示は、参照として本明細書に組み込まれる。画像層を形成するための重合性ＣＬＣ材料の塗布、配列および重合化方法は、当該技術分野で知られている標準の技術を用いて実施することができ、上記文書に記載されている。
【００２２】
　前記第一の好ましい態様の特に好ましい変種は、以下の
・重合性ＣＬＣ材料が、少なくとも１種のアキラル重合性メソゲン化合物および、さらに、重合性および／またはメソゲン性であり得る少なくとも１つのキラル化合物を含む。
・ＣＬＣ材料が、３０〜５０℃、好ましくは、３０〜４０℃、特に３０〜３５℃の温度で重合化される。
・ＣＬＣ材料が、１０〜３０℃の温度、好ましくは、室温下で重合される。
・前記第一および第二画像層が、重合性ＣＬＣ材料の層を、基板の同側または反対側に塗布またはプリントし、該材料を配列させ、該材料を重合し、そして任意に、重合した層から基板を取り除くことによって得られる。
【００２３】
・前記第一および第二層が、異なる波長の円偏光を反射する。
・前記第一画像層が、基板上に設けられ、および任意に、中間層で覆われ、並びに前記第二画像が、前記第一層の上に設けられる。
・前記基板が、光吸収剤を含む。
・少なくとも１つの四分の一波長リターデーション層が、前記第一または第二画像の上に設けられ、この場合、画像は、直線偏光子を介することによって最もよく観察される。
【００２４】
　本発明の第二の好ましい態様は、キラル液晶材料の少なくとも１つの第一および少なくとも１つの第二画像層を設けることによる三次元効果の生成方法であって、ここで、前記第一および第二画像層の一方は、右回り円偏光を反射し、および他方は、左回りの円偏光を反射し、該第一および第二画像は、直接に、互いに重なり合わず、および／または同一画像のステレオペアを形成しないことを特徴とする、前記方法に関する。
【００２５】
　特に好ましくは、第一および第二画像が、直接に、互いに重なり合わず、およびステレオペア画像を形成しない、上記のような方法である。
　本発明者は、画像に奥行き知覚を設けるために、ＣＬＣ材料の複雑な画像を必要としないことを見出した。プリント/塗布されたデザインにおいて、ＣＬＣ材料の鏡像異性形態の両方を利用することによって、２つの円偏光子を含む観察デバイスを介して観察する場合、２つの鏡像異性形態が、異なる領域にプリントされるか、または異なる画像を形成する場合にも、遠近の印象が得られる（但し、各偏光子は異なったものであり、およびそれぞれの眼は、偏光子の1つを介して１つの画像のみを観察する場合）。この観察デバイスに必要な円偏光子は、類似の液晶材料から製造される必要はなく、標準の円偏光子が用いられ得る。
【００２６】
　この効果は、数メートルの距離から確認することができ、およびＣＬＣ材料の他の特性、例えば、角彩色依存性およびサーモクロミズムと複合する場合、更なるセキュリティ機能を設ける。セキュリティ機能としてのこの種類のデバイスの利点は、機能が、接着テープなどの材料または透明なポリマーフィルムで覆われる場合には、それが、光の偏光状態を妨げる為、効果がなくなることである。
【００２７】
　ＣＬＣ材料は、慣用のプリントおよび塗布方法を用いて適用することができる。純粋なＣＬＣ材料、カプセル化ＣＬＣｓ、溶媒中のＣＬＣｓの溶液または重合した若しくは架橋したＣＬＣ材料であり、これは上記第一の好ましい態様に記載されるようなものである。
　特に好ましくは、カプセル化ＣＬＣ材料である。特に好適なのは、サーモクロミックＣＬＣ材料であり、例えば、英国特許第2 355 987号公報および英国特許第2 280 681号公報に記載されるようなものである。しかしながら、一般に、任意のキラルＬＣ材料を、類似の混合物が材料のキラリティーの両方と調製されることができるということを条件に、用いることができる。好適なカプセル化方法および材料は、当該技術分野では公知であり、上記文書にも記載されている。
【００２８】
　さらに好ましくは、重合したＣＬＣ材料である。例えば、好適な重合性ＣＬＣ材料は、欧州特許第1 134 596 A号公報、英国特許第2 357 291 A号公報、英国特許第2 315 760 A号公報、米国特許第6,117,920号公報および欧州特許第0 880 570 A号公報に開示されており、これは、参照によって、本明細書中に組み込まれる。これらの材料は、重合したＣＬＣ画像層を形成するために、当該技術分野で知られているおよび上記文書にも記載されている標準の技術によって、配列および重合化することができる。
【００２９】
　前記第二の好ましい態様の特に好ましい変種は、以下のものである。
・前記第一および第二画像層は、少なくとも１種のアキラル重合性メソゲン化合物および、重合性および／またはメソゲン性であり得る少なくとも１種のキラル化合物をさらに含む重合性ＣＬＣ材料から得られるもの。
・前記第一および第二画像層は、重合性ＣＬＣ材料の層を、基板上に、塗布およびプリントし、該材料を配向させ、該材料を重合化し、および任意に、重合化した層から基板を取り除くことによって得られるもの。
・前記第一および第二画像層が、異なる波長の円偏光を反射する。
・前記基板が、光吸収剤を含むもの。
・少なくとも１つの四分の一波長リターデーション層が、前記第一または第二画像の上に設けられ、この場合、画像は、直線偏光子を介することによって最もよく観察されるもの。
【００３０】
　重合性ＣＬＣ材料は、好ましくは、少なくとも１種の一反応性重合性メソゲン化合物および少なくとも１種の二または多反応性の重合性メソゲン化合物を含む。
　本発明に用いられる重合性メソゲンの一、二または多反応性化合物は、例えばHouben-Weyl, Methoden der organischen Chemie, Thieme-Verlag, Stuttgartなどの有機化学の一般的な参考書に記載されている方法によって調製することができる。典型的な例は、例えば、WO93/22397、欧州特許第0 261 712号公報、ドイツ特許第195 04 224号公報、WO95/22586およびWO97/00600に記載されている。しかしながら、これらの文書に記載の化合物は、単に例示としてみなされるべきであり、本発明の範囲を制限するものではない。
【００３１】
　特に有用な一および二反応性の重合性メソゲン化合物の例は下記式に示す化合物であるが、これらの化合物は本発明を説明するための例示として理解されるべきであり、本発明を制限するものでない。
【００３２】
【化１】
2004046220.tif 000003
【００３３】
【化２】
2004046220.tif 000004
【００３４】
【化３】
2004046220.tif 000005
【００３５】
　上記式中、Ｐは重合性基であり、好ましくはアクリル、メタアクリル、ビニル、ビニルオキシ、プロペニルエーテル、エポキシまたはスチレン基であり、ｘおよびｙはそれぞれ独立して、１〜１２であり、ＡおよびＤは、Ｌ１により任意に、一、二または三置換された１,４−フェニレン、或いは１,４−シクロへキシレンであり、ｕおよびｖは０または１であり、Ｚ０は−ＣＯＯ−、−ＯＣＯ−、−ＣＨ２ＣＨ２−または単結合であり、Ｙは極性基、Ｒ０は非極性アルキルまたはアルコキシ基であり、Ｔｅｒは、例えばメンチルなどのテルペノイド基であり、Ｃｈｏｌは、コレステリル基であり、並びにＬ１およびＬ２はそれぞれ独立して、Ｈ、Ｆ、Ｃｌ、ＣＮまたは任意にハロゲン化されていてもよい、１〜７個のＣ原子を有するアルキル、アルコキシ、アルキルカルボニル、アルコキシカルボニルまたはアルコキシカルボニルオキシ基である。
【００３６】
　用語「極性基」は、この文脈において、Ｆ、Ｃｌ、ＣＮ、ＮＯ2、ＯＨ、ＯＣＨ3、ＯＣＮ、ＳＣＮから選択される基、４個までのＣ原子を有する、任意にフッ素化されてもよいカルボニル若しくはカルボキシル基、または１〜４個のＣ原子を有するモノ−、オリゴ−、若しくはポリフッ化アルキルまたはアルコキシ基を意味するものである。用語「非極性基」は、１個以上、好ましくは１〜１２個のＣ原子を有するアルキル基、または２個以上、好ましくは２〜１２個のＣ原子を有するアルコキシ基を意味するものである。
　重合性ＬＣ材料は、好ましくは、１種または２種以上の一、二または多反応性アキラル重合性メソゲン化合物および任意に、重合性および／またはメソゲン性であり得る１種または２種以上のキラル化合物を含む。
【００３７】
　好ましい重合性ＣＬＣ材料は、
ａ）１種または２種以上の二反応性アキラルおよび／または二反応性キラルメソゲン化合物、および
ｂ）１種または２種以上の一反応性アキラルおよび／または一反応性キラルメソゲン化合物を含み、
ここで、成分ａ）およびｂ）の少なくとも１つは、キラル化合物を含む、
を含む。
【００３８】
　他の好ましい重合性ＣＬＣ材料は、
ａ）１種または２種以上の二反応性アキラルメソゲン化合物、
ｂ）１種または２種以上の一反応性アキラルメソゲン化合物、および
ｃ）１種または２種以上の非重合性キラル化合物
を含む。
【００３９】
　他の好ましい重合性ＣＬＣ材料は、成分ａ）の二反応性または多反応性化合物を含まず、本質的に、成分ｂ）の一反応性化合物および任意に、成分ｃ）の重合性化合物からなる。
　別の好ましい重合性ＣＬＣ材料は、
ａ）上記成分ａ）の０〜７０％、好ましくは１〜５０％、非常に好ましくは１〜４０％、および
ｂ）上記成分ｂ）の３０〜９５％、好ましくは５０〜７５％、
を含む。
【００４０】
　他の好ましい重合性ＣＬＣ材料は、
ａ）０〜７０％、好ましくは１〜５０％、非常に好ましくは１〜４０％の上記成分ａ）、
ｂ）３０〜９５％、好ましくは５０〜７５％の上記成分ｂ）、および
ｃ）０．１〜１５％、好ましくは０．５〜１０％、非常に好ましくは１〜５％の上記成分ｃ）、
を含む。
【００４１】
　前記一反応性アキラル化合物は、好ましくは、上記式ｌａ〜ｌｇおよびｌｉから選択され、特にｌａ、ｌｅおよびｌｇから選択され、ここで、ｖは１である。
　前記二反応性アキラル化合物は、好ましくは、上記式ｌｌａおよびｌｌｂから選択され、特にｌｌａから選択される。
　非重合性キラル化合物は、慣用のキラルドーパントから選択することができる。
【００４２】
　好適なキラルドーパントは、例えば、市販のコレステリル ノナエート（ＣＮ）、ＣＢ１５、Ｒ／Ｓ−８１１、Ｒ／Ｓ−１０１１、Ｒ／Ｓ−２０１１、Ｒ／Ｓ−３０１１またはＲ／Ｓ−４０１１（Merck KGaA、Darmstadt）から選択される。特に好適なのは、キラル糖群（chiral sugar group）、特にジアンヒドロヘキシトール誘導体、例えば、ソルビトール、マンニトールまたはイジトールの誘導体、非常に好ましくはWO 98/00428に開示されているようなソルビトール誘導体を含む、高いねじれ力を有するドーパントである。さらに好ましいのは、英国特許第2,328,207号公報に記載されているようなヒドロベンゾイン基、WO 02/94805に記載されているようなキラルビナフチル誘導体、WO 02/34739に記載されているようなキラルビナフトールアセタール誘導体、WO 02/06265に記載されているようなＴＡＤＤＯＬ誘導体、およびWO 02/06196およびWO 02/06195に記載されているような少なくとも１つのフッ素化連結基および末端のまたは中央のキラル基を有するキラルドーパントを含むドーパントである。
【００４３】
　本発明の別の目的は、本明細書に記載するように、少なくとも１つの第一および第二画像層を含む三次元効果を生成するための装置である。
　特に好ましいのは、一方は、前記第一および第二画像層によって反射された右回り円偏光を伝達し、他方は、前記第一および第二画像層によって反射された左回り円偏光を伝達する、一対のフィルム、ホイル、レンズまたはガラスを含む、三次元効果の検出手段をさらに含む装置である。
【００４４】
　本明細書に記載の方法、装置および画像は、好ましくは、装飾およびセキュリティー用途に用いられる。従って、本発明の別の目的は、本明細書の記載の装置または画像を含む、セキュリティー若しくは照合マーキング、デバイスまたはスレッドである。
　前記セキュリティーマーキングは、例えば、商品、デバイス若しくは文書における直接的な用途ために、または装飾およびセキュリティー用途ためのスレッド、ホログラム若しくはホットスタンピングホイルとして、有価証券の偽造の認証および防止のための、隠された画像、情報、パターンの識別のために用いることができる。それは、プラスチックに組み込まれ、消費者製品または家庭用品、車体、ホイル、梱包材、衣類または織物に適用され、または有価証券、例えば、紙幣、クレジットカード若しくはＩＤカード、国家のＩＤ文書、ライセンスまたは貨幣価値を有する任意の製品、例えば、切手、チケット、株、小切手等のセキュリティーマーキングまたはスレッドとして適用することができる。
【００４５】
　更なる説明を加えなくても、当業者は、前述の説明により、本発明を最大限に利用することができると考えられる。従って、以下の例は、単なる実例として解釈されるべきであり、いかなる意味においても、開示の残りを制限するものではない。
　以上および以下の例において、他に記載がなければ、すべての温度は、校正されていないのセ氏温度で示され、すべての部およびパーセンテージは、重量によるものである。
【００４６】
例１
重合した液晶材料を利用する三次元イメージング方法
　重合性液晶混合物を、以下のように調製した：
【表１】
2004046220.tif 000006
【００４７】
【化４】
2004046220.tif 000007
【００４８】
　化合物（Ａ）、（Ｂ）および（Ｃ）は、D.J.Broer et al., Makromol Chem. 190, 3201-3215(1989)に記載されている方法に従って、または同様に調製することができる。化合物（Ｄ）およびその調製は、英国特許第2,280,445号公報に記載されている。イルガキュア３６９は、市販の光重合開始剤（Ciba Geigy）である。フルオラッドＦＣ１７１は、市販の界面活性剤である（3M Inc.）。
【００４９】
　この混合物を、均等に２つの部分に分け、そしてキラル化合物（Ｅ１）および（Ｅ２）を、それぞれ、必要とされる反射彩色特性を設けるために、固体成分の全体量の５重量％の量に加える。
これは、以下に記載するように、混合物１および２を生成した：
混合物１：ホスト＋化合物（Ｅ１）（全固体の５重量％）
混合物２：ホスト＋化合物（Ｅ２）（全固体の５重量％）
【００５０】
【化５】
2004046220.tif 000008
【００５１】
　（Ｅ１）および（Ｅ２）の調製は、英国特許第2,328,207号公報に記載されている。
　キシレン中の混合物１の溶液を、厚さ３０ミクロンのＴＡＣ（トリアセチルセルロース）フィルムに塗布した。コーティングに、マスクを介して３０〜３５℃で、ＵＶを照射した。これは、ＵＶが照射された領域の色を固定する効果を有していた。未硬化材料を、イソプロパノ−ルを用いて洗い落とした。
【００５２】
　キシレン中の混合物２の溶液を、該ＴＡＣフィルムの反対側に塗布した。該混合物を配列させ、次いで、異なるマスクを介して、上記のように硬化した。再び、未硬化材料を、イソプロパノ−ルを用いて洗い落とした。
【００５３】
　左回り偏光子を介して観察する場合、図１の描写画像が確認され、およびＲＨＣＰを介して観察する場合、図２の描写画像が確認される。観察者が、左眼をＬＨＣＰで覆い、および右眼をＲＨＣＰで覆うように準備した場合、プリント画像に遠近感が現れる。この効果は、比較的長い距離からでも認識できる。
【００５４】
　代替的に、コーティングは、単一フィルム、好ましくは、光を吸収するための黒いフィルムへの連続的な塗布によって調製することも可能である。
　代替的に、２つの画像は、第二画像を適用する前に、第一画像を固定するための硬化方法によって、連続してプリントされ得る。
【００５５】
例２
奥行き知覚方法
　ネマティック液晶ホスト混合物は、以下のように調製される。
【００５６】
【表２】
2004046220.tif 000009
【００５７】
【表３】
2004046220.tif 000010
【００５８】
　キラルドーパントを、同一の反射色を有し、それらのキラリティーのみが異なる２つの混合物を調製するために、このホストに加える。
【表４】
2004046220.tif 000011
【００５９】
　Ｒ／Ｓ−８１１およびＲ／Ｓ−２０１１は、市販のキラルドーパントである（Merck KgaA, Darmstadt, Germanyから得られる）。
　次いで、これらの混合物を、カプセル化し、そして該カプセルを、インク系に形成した。該インクを、図３に図解的に描写されるようなデザインを生成するためのスクリーンプリント技術を用いてプリントし、ここで、「Ｒ」は、他の文字とは反対のキラリティーにプリントされる。
【００６０】
　左回りおよび右回りの円偏光子を含むデバイスを介して観察する、即ち各々の眼が１つの偏光子をのみを介して画像を観察する場合、画像に遠近感を確認できる。「Ｒ」は、残りの文字を比べて、別の距離に存在するように見える。この効果は、数メートルの距離からでも確認することができる。
【００６１】
　上記例の両方は、四分の一波長リタ−デーション層を含有することによって、変更することができる。これは、直線偏光子を含有するデバイスを介すことによって、効果を観察することができる。円偏光子が、四分の一波長層および直線偏光子を効果的に含み、これらの２つの層の間の相対距離は重要ではない。
【産業上の利用可能性】
【００６２】
　本発明によれば、従来技術の欠点を有さない三次元効果および画像を生成するための新規的な方法が提供される。これによって、三次元効果を生成するための装置、それによって生成される三次元画像も提供され、これらはセキュリティー用途に用いることができる。したがって、本発明は、セキュリティー産業および関連産業の発展に寄与することろ大である。
【図面の簡単な説明】
【００６３】
【図１】左回り偏光子を介して観察した場合に確認される、本発明の描写画像を示す図面代用写真である。
【図２】右回り偏光子を介して観察した場合に確認される、本発明の描写画像を示す図面代用写真である。
【図３】奥行きが知覚された本発明の画像を示す図面代用写真である。
【図１】
2004046220.tif 000012
【図２】
2004046220.tif 000013
【図３】
2004046220.tif 000014